【手続補正書】
【提出日】平成26年9月2日(2014.9.2)
【手続補正１】
【補正対象書類名】特許請求の範囲
【補正対象項目名】全文
【補正方法】変更
【補正の内容】
【特許請求の範囲】
【請求項１】
アーチワイヤを歯に結合する歯列矯正ブラケットにおいて、
前記歯に取り付けられるように構成されたブラケット本体であって、
前記アーチワイヤを受け入れるように構成され、ベース面および前記ベース面から離れる方向に延びる互いに向かい合う２つの側壁を含むアーチワイヤ長穴、
前記ブラケット本体の中心を貫通して前記アーチワイヤ長穴に対して横方向に延びるクリップ長穴、
第１の本体部分、ならびに
前記第１の本体部分と向かい合い、前記アーチワイヤ長穴によって前記第１の本体部分から分離された第２の本体部分を含み、前記第１の本体部分と前記第２の本体部分のうちの一方が、前記アーチワイヤ長穴に対して開放された支持面を含むブラケット本体と、
前記支持面および前記クリップ長穴に滑り可能に係合可能な弾性の結さつクリップであって、第３のクリップ部分から概ね同じ方向に延びる第１のクリップ部分および第２のクリップ部分を備え、前記アーチワイヤを前記アーチワイヤ長穴に挿入可能である開位置と前記第１のクリップ部分が前記ベース面と向かい合い、かつ前記第３のクリップ部分が前記支持面に隣接する閉位置との間を前記ブラケット本体に対して移動可能であり、前記第１のクリップ部分が前記ベース面から離れる方向にたわまされたときに、たわんで、前記支持面を含む本体部分上で前記ブラケット本体に接触するように構成された結さつクリップと、
を備えることを特徴とする歯列矯正ブラケット。
【請求項２】
前記第１のクリップ部分は自由端部を含み、前記ブラケット本体は、前記自由端部に接触せずに前記第１のクリップ部分がベース面から離れる方向にたわむのを制限するように構成されることを特徴とする請求項１に記載の歯列矯正ブラケット。
【請求項３】
前記弾性の結さつクリップは、前記第１のクリップ部分が前記ベース面から離れる方向にたわむのと逆の方向にたわむことによって前記ブラケット本体に接触するように構成されることを特徴とする請求項１に記載の歯列矯正ブラケット。
【請求項４】
前記ブラケット本体は、前記支持面を少なくとも部分的に覆う近心−遠心ブリッジを含み、前記第１のクリップ部分は、前記第１のクリップ部分が前記ベース面から離れる方向にたわまされたときに前記近心−遠心ブリッジに接触するように構成されることを特徴とする請求項１に記載の歯列矯正ブラケット。
【請求項５】
前記ブラケット本体は、前記支持面を含む本体部分から延びるクリップストップ面をさらに含み、前記第１のクリップ部分と前記第３のクリップ部分のうちの一方は、前記弾性の結さつクリップが前記閉位置にあるときに前記クリップストップ面に対してほぼ接触する関係になるように構成され、かつ前記第１のクリップ部分が前記ベース面から離れる方向にたわまされたときに前記クリップストップ面に接触するように構成されているショルダをさらに含む、請求項１に記載の歯列矯正ブラケット。
【請求項６】
前記ブラケット本体は、前記支持面を少なくとも部分的に覆う近心−遠心ブリッジをさらに含み、前記第１のクリップ部分は、前記第１のクリップ部分が前記ベース面から離れる方向にたわまされたときに前記近心−遠心ブリッジに接触して支点を形成するように構成され、それによって、前記第１のクリップ部分が前記ベース面から離れる方向にさらにたわむと前記第１のクリップ部分のたわみに対する抵抗が増大することを特徴とする請求項１に記載の歯列矯正ブラケット。
【請求項７】
アーチワイヤを歯に結合する歯列矯正ブラケットにおいて、
前記歯に取り付けられるように構成されたブラケット本体であって、前記アーチワイヤを受け入れるように構成されたアーチワイヤ長穴、および前記ブラケット本体の中心を貫通して前記アーチワイヤ長穴に対して横方向に延びるクリップ長穴を含むブラケット本体と、
前記クリップ長穴において前記ブラケット本体に滑り可能に係合可能な弾性の結さつクリップであって、第３のクリップから概ね同じ方向に延びる第１のクリップ部分および第２のクリップ部分を含み、前記アーチワイヤを前記アーチワイヤ長穴に挿入可能である開位置と前記第１のクリップ部分が前記アーチワイヤ長穴を覆い、かつ前記第２のクリップ部分が前記クリップ長穴内に位置する閉位置との間を前記ブラケット本体に対して移動可能である結さつクリップと、
前記弾性の結さつクリップを前記閉位置に固定するように構成された固定機構であって、前記ブラケット本体と前記第２のクリップ部分のうちの一方の一部を形成するロック部材と、前記ブラケット本体と前記第２のクリップ部分の他方の一部を形成する受け部材とを含み、前記ロック部材および前記受け部材が、前記弾性の結さつクリップが前記閉位置から前記開位置の方へ移動するときに互いの間に干渉ばめを協働して形成するように構成される固定機構と、
を備えることを特徴とする歯列矯正ブラケット。
【請求項８】
前記ロック部材は、第２のレグに実質的に垂直な第１のレグを含み、前記第１のレグが、前記弾性の結さつクリップが前記閉位置に移動するときにたわむように構成され、前記第２のレグは、前記クリップが前記閉位置から前記開位置の方へ移動するときに前記受け部材との干渉ばめを形成するように構成されることを特徴とする請求項７に記載の歯列矯正ブラケット。
【請求項９】
前記第２のレグは、前記第２のクリップ部分と実質的に同じ平面内に位置することを特徴とする請求項８に記載の歯列矯正ブラケット。
【請求項１０】
前記弾性の結さつクリップは、前記開位置から前記閉位置への前記弾性の結さつクリップの移動を案内するように構成された位置合わせ部材をさらに備えることを特徴とする請求項８に記載の歯列矯正ブラケット。
【請求項１１】
前記ロック部材は前記第２のクリップ部分の平面内でたわむことを特徴とする請求項７に記載の歯列矯正ブラケット。
【請求項１２】
前記ロック部材は前記第２のクリップ部分と組み合わされ、前記受け部材は前記ブラケット本体と組み合わされることを特徴とする請求項７に記載の歯列矯正ブラケット。
【請求項１３】
アーチワイヤを歯に結合する歯列矯正ブラケットにおいて、
前記歯に取り付けられ、そこで前記アーチワイヤを受け入れるように構成されたアーチワイヤ長穴を含むるように構成されたブラケット本体であって、前記アーチワイヤ長穴は、ベース面および前記ベース面から離れる方向に延びる互いに向かい合う２つの側壁を含む、ブラケット本体と、
前記ブラケット本体に滑り可能に係合可能な弾性のＵ字型結さつクリップであって、これにより、前記アーチワイヤを前記アーチワイヤ長穴に挿入可能である開位置と、前記弾性のＵ字型結さつクリップの一部が前記アーチワイヤ長穴を覆ってそこに前記アーチワイヤを保持する閉位置と、を有し、前記一部は、そこから延びる自由端部および前記ベース面から外方に向く面を有する、弾性のＵ字型結さつクリップと、
を備え、
前記ブラケット本体は、前記ブラケット本体と前記ベース面から外方に向く面との接触によって、かつ、前記自由端部に接触せずに、前記弾性のＵ字型結さつクリップが、前記ベース面から離れる方向にたわむのを制限することを特徴とする歯列矯正ブラケット。
【請求項１４】
前記ブラケット本体は、前記弾性のＵ字型結さつクリップが前記閉位置にある際に、前記弾性のＵ字型結さつクリップの前記自由端部を受けるように構成されたクリップレセプタクルを含むことを特徴とする請求項１３に記載の歯列矯正ブラケット。
【請求項１５】
前記ブラケット本体は、前記弾性のＵ字型結さつクリップが前記閉位置にある際に前記弾性のＵ字型結さつクリップの一部を覆う近心−遠心ブリッジをさらに含み、前記ベース面から外方に向く面は、前記弾性のＵ字型結さつクリップが前記ベース面から離れる方向にたわむ際に、前記近心−遠心ブリッジと接触することを特徴とする請求項１３に記載の歯列矯正ブラケット。
【請求項１６】
アーチワイヤを歯に結合する歯列矯正ブラケットにおいて、
前記歯に取り付けられるように構成され、前記アーチワイヤを受け入れるように構成されたアーチワイヤ長穴を含むブラケット本体と、
前記ブラケット本体に滑り可能に係合可能なであり、開位置と閉位置との間を前記ブラケット本体に対して移動可能である弾性の結さつクリップと、
前記弾性の結さつクリップを前記閉位置に固定するように構成された固定機構であって、前記ブラケット本体又は前記弾性の結さつクリップのうちの一方上にロック部材を、かつ、前記ブラケット本体又は前記弾性の結さつクリップのうちの他方上に受け部材を含み、前記ロック部材および前記受け部材のそれぞれが第１の面および第２の面を含む、固定機構と、
を備え、
前記弾性の結さつクリップが前記閉位置に移動する際に２つの前記第１の面が互いに接触し、前記弾性の結さつクリップが前記開位置に移動する際に２つの前記第２の面が互いに接触し、前記第１の面同士の接触と、前記第２の面同士の接触とが、前記ロック部材をたわませ、かつ、前記弾性の結さつクリップの滑動に対する前記第１の面及び前記第２の面の配向が、前記弾性の結さつクリップが前記閉位置から前記開位置へ移動させる力より小さい、前記弾性の結さつクリップが前記開位置から前記閉位置へ移動させる力を引き起こすことを特徴とする歯列矯正ブラケット。